(57)【特許請求の範囲】
【請求項１】
海中又は海底に棲息する海洋動物を漁獲するための船びき網であって、
袖網部分と魚取り袋部分との間に設けられ、網目の大きさが漁獲対象となる前記海洋動物よりも細かい網目である胴網部分において、
前記袖網との連結部となる入口開口部と、前記魚取り袋部分との連結部となる出口開口部と、前記入口開口部と前記出口開口部との間の胴部と、前記胴部の一部において連結部を介して浮力を与えるために取り付けた浮力体と、
前記胴部の側面の一部に設けた、網目が他の部分の網目よりも粗い網目であり、船びきの際に、前記胴網部分に生じる抵抗を小さくする潮抜き部を備え、
前記浮力体を、前記胴部において前記潮抜き部が設けられている箇所に設けることにより、船びきの際に、前記胴網部分の途中にある前記潮抜き部を設けた箇所に浮力を与え、前記船びき網中の前記胴網部分の抵抗の小さい箇所の海中姿勢を上方に調整できることを特徴とする船びき網。
【請求項２】
前記浮力体を、前記胴部において前記潮抜き部の先端付近と後端付近に設けたことを特徴とする請求項１項に記載の船びき網。
【請求項３】
前記連結部に網体を取り付けた構成とし、船びきの速度が速くなるほど前記連結部の網体に生じる抵抗が大きく浮力が大きくなることを特徴とする請求項１または２に記載の船びき網。
【請求項４】
前記胴網部分の前記出口開口部の前方部分に内袋を設けて二重構造とした排出部を備え、前記排出部の内袋の網目を前記胴網部分の網目よりも大きくかつ漁獲対象となる前記海洋動物よりも大きな網目とし、前記排出部の内袋の出口を前記胴網部分の前記胴部の外へ導くように取り付けることにより、前記漁獲対象となる前記海洋動物は前記排出部の内袋の網目を通過して前記胴網部分の前記出口開口部に導かれ、不要海洋生物または雑物は前記排出部の内袋の網目を通過せずに前記胴部の外へ導かれて排出される構造としたことを特徴とする請求項１から３のいずれかに記載の船びき網。
【請求項５】
前記魚取り袋部分内に内袋を設けて二重構造とした魚種選別部を設け、前記魚種選別部の網目を通過しない魚種は前記魚種選別部に溜まり、前記魚種選別部の網目を通過する魚種は前記魚種選別部の後方の前記魚取り袋部分に溜まる構造としたことを特徴とする請求項１から４のいずれかに記載の船びき網。
【請求項６】
前記漁獲対象となる前記海洋動物がイカナゴ、シラスのいずれかである請求項１から５のいずれかに記載の船びき網。
【発明の詳細な説明】
【技術分野】
【０００１】
本発明は、船びき網に関し、特にイカナゴ、シラスなどの小型魚種の海洋動物を効率的に漁獲することができる船びき網の改良に関する。
【背景技術】
【０００２】
イカナゴやシラスなどの小型魚種の海洋動物を効率的に漁獲する漁法として船びき網漁業が知られている。
船曳網漁業は、網船と呼ばれる２隻の漁船が対になって１つの網を引き、運搬船と呼ばれる１隻の漁船が魚群を探して網船を誘導するとともに漁獲物を取り上げて港まで運搬する。このように３隻の漁船で操業する。
【０００３】
運搬船は魚群探知機の反応状況から網船の誘導とともにイカナゴやシラスが網に溜まっている具合を判断し、網の交換時期を決定する。
イカナゴやシラスはその日の天候や海域の複雑な潮流によって回遊場所や回遊水深が異なるので、運搬船船長の経験とカンに基づいた網船の誘導がその日の漁獲量を左右するカギを握っていると言われている。なお、イカナゴやシラスは上層近くにいることが多いため、魚網を引く水深を浅く調整すると漁獲が増える。
大阪湾や播磨灘における船びき網漁業は，４月中旬まで“イカナゴ”漁が操業され、４月中旬〜６月上旬、９月下旬〜１２月上旬まで“シラス”漁が行われる。
【０００４】
船びき網は、袖網、袋網（胴網、魚取り）、曳綱で構成される。袖網は、袋網の口から左右両側に袖状に取り付けられ、魚群を中央に寄せ袋網に追い込む役割を担っている。袖網の上縁には浮子綱と浮子が、下縁には沈子が取り付けられ、網口が上下に開くよう工夫されている。袋網の網目の大きさは奥部ほど細かくなっており、一例としては、最細の網目は２ｍｍ程度のもじ網となっており、袋網の長さは約８０ｍに及ぶ。袋網の末端から約２０ｍを魚取りと呼び、チャックで脱着できるものとなっている。袖網には浮子がロープを通じて連結されており、当該ロープの伸縮や曳綱の長さを変えることにより、袖網水深を調節することができる。両船は全速で曳綱を張りながら展開し、漁具が所定の水深に沈むのを確認の後曳網を開始する。
【０００５】
図１０は船びき網漁法の操船の例を簡単に示している。曳網中の２隻の間隔は約５０ｍ、曳網時間は魚群の状況にもよるが、概ね３０分から１時間程度で、曳網速度は約２ノットで操船する。
入網したイカナゴやシラスの回収は、網全体を巻き取らずに袋網のみを運搬船のウインチで吊り上げ、魚取り部のチャックを開いて回収する。漁獲物回収後、袋網を再度投入し、曳網を継続する。
【０００６】
なお、イカナゴとシラスにおいて網目の大きさと長さの違いはあるものの魚網の構成、袖網の浮子などは同じである。シラス漁の仕掛けの方が魚網全体が長く、その長さは５００メートルに達する場合もある。
【０００７】
【非特許文献１】神戸地方海難審判庁『近畿の漁法と安全運航』
【発明の開示】
【発明が解決しようとする課題】
【０００８】
しかし、上記従来技術の魚網には以下の問題がある。
従来の船びき網漁法では、２そうの漁船が並走して曳綱と袖網を引くが、魚網の開口を大きく広げるため、また、安全走行のため、漁船はある程度の距離（例えば５０ｍ程度）は離れて操船する。曳網、袖網は幅広く開口し（例えば５０ｍ）、上下方向にも広く開口させるため、袖口の上方に浮子、下方に沈子が設けられ、袋網の開口も大きく開口（例えば２０数ｍ程度）している。一方、船びき網の最後段の魚取り部の幅は１〜２ｍ程度であるため、大きな抵抗を受けつつ周囲方向に網目の間から海水を抜きながら船びきすることとなる。そのため、船びき網の中心部分が通過する水深が効率よくイカナゴやシラスが回遊する水深となるように調整することが重要である。
【０００９】
船びき網は海水から大きな抵抗を受ける上、時期によりクラゲなどの浮遊物も多く網にかかるため網がさらに重くなる。船びき網は２００ｍ以上の長さになることが多く、船びき網の中心部分が通過する水深を調整することは難しい。
イカナゴ漁やシラス漁は対象魚種が小さいため魚網の網目が他の漁よりも細かく、その船びき操船には魚網に対して海水の大きな抵抗が発生し、船びきの速度が上がりにくいが、やはり、速い速度で操船することは経済性、他の漁船との競争の上では極めて重要であり如何に速い速度で船びきできるかが大きな課題である。速い速度で操船すればするほど魚網に対して海水の抵抗が大きくなり、さらに船びき網の中心部分が通過する水深を調整することは難しくなる。
【００１０】
船びき操船の速度をある程度維持するため、魚網の最後部は対象魚種であるイカナゴやシラスを確実に捉える網目の細かさとしなければならないが、魚網の前方はある程度潮が抜けやすいように網目を粗いものとする必要がある。
発明者宇津修二は長年にわたり魚網の製作を行う中、魚網各部の網目の大きさ、網目から抜ける潮抜き、操船速度と抵抗も含めた魚網の重さ、魚網の海中での姿勢などの関係を研究する中、操船可能な速度で船びきした場合の魚網の海中姿勢において胴部の魚網の水深位置の調整が必要であることが分かった。
【００１１】
上記問題点に鑑み、本発明は、簡単な構造により、船びき網の中心部分が通過する水深を調整し、速い速度で船びき操船を可能とする魚網を提供することを目的とする。
【課題を解決するための手段】
【００１２】
上記目的を達成するため、本発明の船びき網は、海中又は海底に棲息する海洋動物を漁獲するための船びき網であって、袖網部分と魚取り袋部分との間に設けられ、網目の大きさが漁獲対象となる前記海洋動物よりも細かい網目である胴網部分において、前記袖網との連結部となる入口開口部と、前記魚取り袋部分との連結部となる出口開口部と、前記入口開口部と前記出口開口部との間の胴部と、前記胴部の一部において連結部を介して浮力を与えるために取り付けた浮力体と、 前記胴部の側面の一部に設けた、網目が他の部分の網目よりも粗い網目であり、船びきの際に、前記胴網部分に生じる抵抗を小さくする潮抜き部を備え、前記浮力体を、前記胴部において前記潮抜き部が設けられている箇所に設けることにより、船びきの際に、前記胴網部分の途中にある前記潮抜き部を設けた箇所に浮力を与え、前記船びき網中の前記胴網部分の抵抗の小さい箇所の海中姿勢を上方に調整できることを特徴とする船びき網である。
【００１３】
胴網部分が、前部、中部、後部から構成され、前部は入口開口部から連結部が設けられる箇所までの部分とし、中部が当該連結部が設けられる箇所から側面潮抜き部の終端箇所までの部分とし、後部が側面潮抜き部の終端箇所からクラゲ抜きまでの部分とすると、浮力体を中部の連結部、つまり、側面潮抜き部が設けられている箇所に取り付ける。潮抜き部を設けることにより、船びきの際に、胴網部分の潮抜き部を設けた箇所の生じる抵抗が小さくなるため、側面潮抜き部が設けられている箇所に浮力体を設けるものである。
なお、上記構成において、前記連結部に網体を取り付けた構成とし、船びきの速度が速くなるほど前記連結部の網体に生じる抵抗が大きく浮力が大きくなるようにすることが好ましい。
つまり、船びきの速度が速くなると船びき網全体に海中からかかる抵抗が大きくなるが、入口開口付近と浮力体との間の連結部にも抵抗が大きくなり、入口開口付近に得られる浮力も大きくなる。いわゆる空中の“凧の原理”と同じく網体に浮力が発生する。
【００１４】
また、上記構成において、胴網部分の複数個所において、前記浮力体を取り付けた構成とすることが好ましい。
特に、前記浮力体を、前記胴部において前記潮抜き部の先端付近と後端付近に設けた構成とすることが好ましい。
このように、船びき網の仕掛けの規模により海中からかかる抵抗に合わせて胴網部分に取り付ける浮力体の数や位置を調整することにより魚網の海中での姿勢や水深を調整する。
【００１６】
次に、本発明の魚網は、対象魚種とは異なるクラゲなど混獲してしまった大型の不要な海洋生物が魚取り部に達しないように胴網から放逐できる構造とする。そこで、上記構成において、前記胴網部分の前記出口開口部の前方部分に内袋を設けて二重構造とした排出部を備え、前記排出部の内袋の網目を前記胴網部分の網目よりも大きくかつ漁獲対象となる前記海洋動物よりも大きな網目とし、前記排出部の内袋の出口を前記胴網部分の前記胴部の外へ導くように取り付けることにより、前記漁獲対象となる前記海洋動物は前記排出部の内袋の網目を通過して前記胴網部分の前記出口開口部に導かれ、不要海洋生物または雑物は前記排出部の内袋の網目を通過せずに前記胴部の外へ導かれて排出される構造とする。
【００１７】
また、本発明の魚網は、対象魚種とは異なる海洋生物であるがシャコなど経済性のある海洋生物についてはクラゲなどのように放逐せずに魚取り部の中で大きさ別に選別できれば便利である。そこで、上記構成において、前記魚取り袋部分内に内袋を設けて二重構造とした魚種選別部を設け、前記魚種選別部の網目を通過しない魚種は前記魚種選別部に溜まり、前記魚種選別部の網目を通過する魚種は前記魚種選別部の後方の前記魚取り袋部分に溜まる構造とする。
【発明の効果】
【００１８】
本発明にかかる船びき網によれば、簡単な構造により、船びき網の中心部分が通過する水深を調整し、速い速度で船びき操船が可能となる。また、入口開口付近と浮力体との間の連結部に網体を取り付けた構成とし、船びきの速度が速くなるほど連結部の網体に生じる抵抗が大きくなり、いわゆる空中の“凧の原理”と同じく網体に浮力を大きくすることができる。
【発明を実施するための最良の形態】
【００１９】
以下、本発明の船びき網の実施例を説明する。なお、本発明はこれらの実施例に限定されるものではない。
【実施例１】
【００２０】
以下、本発明に係る船びき網の構成例を、図面を参照しながら説明する。
実施例１は、シラス漁向けの魚網について説明する。
図１および図２は、実施例１にかかる本発明のシラス漁向けの船びき網を示す図である。
図１は平面図、図２は右側面図である。
【００２１】
図１および図２に示すように、本発明シラス漁向けの船びき網１００は、袖網部分１１０、胴網部分１２０、浮力体１３０、魚取り袋部分１４０を備えた構成となっている。曳網は図示を省略している。
【００２２】
袖網部分１１０は、漁船に引かれる曳網につながる網である。本来は、漁獲対象となるシラスよりも細かい網目とすることは好ましいが、袖網１１０以降全体の網目をすべて細かくするとあまりに抵抗が大きく重くなってしまい操船が不能となる場合もあるため、袖網１１０の網目は大きくして抵抗を小さくすることにより、操船スピードを上げることが好ましい。
【００２３】
胴網部分１２０は、袖網部分１１０と魚取り袋部分１４０との間に設けられた網部分であり、網目の大きさが漁獲対象となるシラスよりも細かい網目である。
図１および図２の例では、胴網部分１２０は、入口開口部１２１、前部１２２、中部１２３、後部１２４、側面潮抜き部１２５、クラゲ抜き１２６、中吊り１２７、クラゲ抜き出口１２８、出口開口部１２９の各部分から構成されている。
また、図３、図４、図５は、胴網部分１２０のうち、特に、入口開口部１２１、前部１２２、中部１２３、後部１２４、側面潮抜き部１２５までを分かりやすくしたように取り出して示した図である。図３は右側面図、図４は平面図、図５は正面図である。
【００２４】
入口開口部１２１は、袖網１１０との連結部となる入口である。
前部１２２、前部１２２、中部１２３は、筒状の網体であり、その区別は便宜上のものである。この構成例では以下のように分けている。
前部１２２は、入口開口部１２１から後述する連結部１３１が設けられる箇所までの部分である。
中部１２３は、後述する連結部１３１が設けられる箇所から後述する側面潮抜き部１２５の終端箇所までの部分である。
後部１２４は、側面潮抜き部１２５の終端箇所から後述するクラゲ抜き１２６までの部分である。
【００２５】
側面潮抜き部１２５は、胴部１２０の側面の一部において網目が他の部分の網目よりも粗い網目となっている部分であり、船びきの際に、胴網部分１２０に生じる抵抗を小さくするものである。この構成例では中部１２３の側面部分に設けられる。
【００２６】
クラゲ抜き１２６は、胴網部分１２０の後段部分で出口開口部１２９の前に設けられたものであり、胴網部分１２０内に内袋を設けて二重構造とした排出部分である。その網目は胴網部分１２０の網目よりも大きく、かつ漁獲対象となるシラスよりも大きな網目となっている。クラゲ抜き出口１２８は胴網部分１２０の外へ導くように側面に取り付けられており、漁獲対象となるシラスはクラゲ抜きの内袋の網目を通過してそのまま胴網部分１２０の出口開口部１２９に導かれ、さらに後述する魚取り部１４０に入ってゆくが、クラゲなどの不要海洋生物または雑物はクラゲ抜き１２６の内袋の網目を通過せずにクラゲ抜き出口１２８から胴網部分１２０の外へ導かれて排出される構造となっている。
【００２７】
中吊り１２７は、運搬船が適宜、魚取り部１４０に溜まったシラスを回収するために海中に没している魚取り部１４０を運搬船上に引き上げるための構造物であり、運搬船上からフックなどで引っかける治具などが取り付けられている。
【００２８】
出口開口部１２９は、後述する魚取り袋部分１４０との連結部となる出口である。
【００２９】
浮力体１３０は、浮子など海水よりも比重の軽い物体であり、海水などにより腐植しにくいプラスチックや発泡体などで良い。浮力体の大きさ、つまり浮力の大きさは船びき網１００全体の規模や海域に浮遊しているクラゲや不要物の多寡に応じて調整可能である。胴部１２０の一部において連結部１３１を介して浮力を与える
【００３０】
連結部１３１は、浮力体１３０を取り付ける部分である。この構成例では連結部１３１に網体を取り付けた構成となっており、この構成例では、図５に示すように網体が三角形をしている。このように浮力体１３０を取り付ける連結部が網体であるため、後述するように操船により船びき網を引いて前進すると連結部１３１に抵抗が生じ、船びきの速度が速くなるほど連結部１３１の網体に生じる抵抗が大きく浮力が大きくなる構造となっている。
船びきの際に、胴網部分１２０の一部に浮力を与え、船びき網中の胴網部分１２０の海中姿勢を上方に調整できることを特徴とする。
【００３１】
魚取り部１４０は、船びき網１００により捕獲した海洋動物を捉えて蓄積する部分である。この構成例では、シャコ取り１４１、魚取り１４２、魚巻き１４３を備えた構成となっている。魚取り部１４０全体はチャックなどで分離できる構造となっており、運搬船が中吊り１２７をフックなどで引っかけて引き上げ、魚取り１４０のチャックを外して魚取り部１４０のみを引き揚げて回収することができる仕組みとなっている。
【００３２】
シャコ取り１４１は、魚取り部１４０の袋部分内に内袋を設けて二重構造とした魚種選別部であり、この網目を通過しない魚種はここに溜まり、この網目を通過する魚種は魚取りの袋部分に溜まる構造としたものである。この構成例では網目の大きさをシラスは通過するがシャコは通過しない大きさとすれば良い。なお、シャコよりも大きなクラゲや海洋不要物などの浮遊物はクラゲ抜きを通過できず、クラゲ抜き出口１２８より排出されており、シャコ抜き１４１には概ねシャコやシラスよりも少し大きな小魚などが溜まることとなる。
【００３３】
魚取り１４２は、シャコ取り１４１の後段にあり、シャコ取り１４１を通過した魚種が最終的に溜まる部分であり、この構成例では捕獲対象魚種であるシラスが溜まることとなる。
魚巻き１４３は魚取り１４２の最後段を締めている部分である。魚巻き１４３が開閉可能な構造であれば、運搬船上で魚巻き１４３を開放してシラスを取り出すことができる。
【００３４】
図６は、船びき網１００を船びきした際の海中での姿勢を簡単に示す図であり、特に、胴網部分１２０の前部１２２、中部１２３、後部１２４、側面潮抜き部１２５、浮力体１３０、連結部１３１を取り出して示した図となっている。
図６に示すように、船びき網１００が前方に船びきされると、相対的に海水は後方へ流れてゆく。その際に、船びき網１００の胴網部分１２０の内部にも海水が通り、各部の網体との間で抵抗が生じるが、連結部１３１にも相対的に海水が当たり抵抗が生じる。連結部１３２の形状や角度にもよるが、抵抗を受けると連結部１３１の上方に浮力体１３０が取り付けられていることも相俟って、あたかも“凧上げ”のような効果が生じ、胴網部分１２０を引き上げる浮力が増すこととなる。
【００３５】
この“凧上げ”のような効果は、船びきの速度が速くなるほど連結部１３１の網体に生じる抵抗が大きくなって浮力が大きくなる。船びきの速度が速くなれば船びき網１００の抵抗が大きくなりその姿勢を調整することが難しくなるが、連結部１３１の網体に生じる浮力が大きくなり浮きやすくなり、船びき網１００全体の姿勢の制御が行いやすくなる。
【実施例２】
【００３６】
実施例２は、実施例１と同様、シラス漁向けの魚網であるが、連結部１３１の形状が異なるものである。
図７は、実施例２にかかる船びき網１００ａのうち、胴網部分１２０の特に入口開口部１２１、前部１２２、中部１２３、後部１２４、側面潮抜き部１２５、浮力体１３０、連結部１３１までを分かりやすくしたように取り出したものの正面図である。
【００３７】
図７に示すように、連結部１３１は１本の紐体となっている。この構成例では、船びき網１００を船びきした際の海水から受ける連結部１３１の浮力が実施例１に比べて大きくは発生しない。
しかし、この連結部１３１の長さによって、浮力体１３０が海中に没したまま船びきされるように調整することにより浮力体１３０が海中に没した状態で船びき網１００ａを船びきすることができる。浮力体１３０にはある程度の大きさがあり、浮力体１３０が海中に没した状態で船びきすることにより、浮力体１３０自身のもつ大きさにより海中から受ける抵抗が増すとともに“凧上げ”のような効果が生じ、胴網部分１２０を引き上げる浮力が増すこととなる。
【００３８】
船びきの速度が速くなれば船びき網１００の抵抗が大きくなりその姿勢を調整することが難しくなるが、連結部１３１の網体に生じる浮力が大きくなり浮きやすくなり、船びき網１００全体の姿勢の制御が行いやすくなる。
【実施例３】
【００３９】
実施例３は、実施例１と同様、シラス漁向けの魚網であるが、胴網部分１２０の複数個所に浮力体１３０ａ、１３０ｂが取り付けられている構成例である。
図８は、実施例３にかかる船びき網１００ｂのうち、胴網部分１２０の特に入口開口部１２１、前部１２２、中部１２３、後部１２４、側面潮抜き部１２５、浮力体１３０、連結部１３１までを分かりやすくしたように取り出したものの右側面図である。
【００４０】
この例では、胴網部分１２０の複数個所に浮力体１３０ａ、１３０ｂが取り付けられている。また、側面潮抜き部１２５の形状が実施例１の形状とは異なっている。
なお、胴網部分１２０の複数個所に浮力体１３０ａ、１３０ｂを取り付けることにより、胴網部分１２０の海中姿勢が安定した状態となる。
【実施例４】
【００４１】
実施例４は、イカナゴ漁向けの魚網である。
図９は、実施例４にかかる船びき網１００ｃのうち、胴網部分１２０の特に入口開口部１２１、前部１２２、中部１２３（中部１２３ａ、１２３ｂ、１２３ｃ）、後部１２４、浮力体１３０、連結部１３１までを分かりやすくしたように取り出したものの右側面図である。
【００４２】
図９に示すように、イカナゴ漁向けの船びき網１００ｂでは、側面潮抜き部１２５に相当するものが設けられていない。シラスに比べイカナゴの魚体が少し大きいため、シラス漁向けの船びき網１００や船びき網１００ａに比べ、網の目の大きさが大きくても良く、その分、シラス漁向けの船びき網１００や船びき網１００ａにより生じる抵抗よりも小さくて済む。そこで、シラス漁向けの船びき網１００、船びき網１００ａでは少しでも潮を抜くために側面に設けた側面潮抜き部１２５に相当するものを設ける必要性が低く、製作の手間を省力化することができる。
【００４３】
次に、イカナゴ漁向けの船びき網１００ｂでは、胴網部分１２０の中部１２３が長くなっており、ここでは便宜上、中部１２３ａ、中部１２３ｂ、中部１２３ｃの３段構成となっている。
側面潮抜き部１２５に相当するものが設けられていない点、中部が長く多段に設けられている点を除けば、他の構成要素は同じで良い。
【００４４】
以上、本発明の船びき網の構成例における好ましい実施形態を図示して説明してきたが、本発明の技術的範囲を逸脱することなく種々の変更が可能であることは理解されるであろう。
【産業上の利用可能性】
【００４５】
本発明の船びき網は、シラス漁、イカナゴ漁の船びき網などに広く適用することができる。
【図面の簡単な説明】
【００４６】
【図１】実施例１にかかる本発明のシラス漁向けの船びき網を示す図（平面図）である。
【図２】実施例１にかかる本発明のシラス漁向けの船びき網を示す図（右側面図）である。
【図３】胴網部分１２０のうち、特に、入口開口部１２１、前部１２２、中部１２３、後部１２４、側面潮抜き部１２５までを示した図（右側面図）である。
【図４】胴網部分１２０のうち、特に、入口開口部１２１、前部１２２、中部１２３、後部１２４、側面潮抜き部１２５までを示した図（平面図）である。
【図５】胴網部分１２０のうち、特に、入口開口部１２１、前部１２２、中部１２３、後部１２４、側面潮抜き部１２５までを示した図（正面図）である。
【図６】船びき網１００を船びきした際の海中での姿勢を簡単に示す図である。
【図７】実施例２にかかる船びき網１００ａのうち、胴網部分１２０の特に入口開口部１２１、前部１２２、中部１２３、後部１２４、側面潮抜き部１２５、浮力体１３０、連結部１３１までを示した図（正面図）である。
【図８】実施例３にかかる船びき網１００ｂのうち、胴網部分１２０の特に入口開口部１２１、前部１２２、中部１２３、後部１２４、側面潮抜き部１２５、浮力体１３０、連結部１３１までを示した図（右側面図）である。
【図９】実施例４にかかる船びき網１００ｃのうち、胴網部分１２０の特に入口開口部１２１、前部１２２、中部１２３、後部１２４、浮力体１３０、連結部１３１までを示した図（右側面図）である。
【図１０】従来の船びき網漁法の操船の例を簡単に示している図である。
【符号の説明】
【００４７】
１００  船びき網
１１０  袖網部
１２０  胴網部分
１２１  入口開口部
１２２  前部
１２３  中部
１２４  後部
１２５  側面潮抜き部
１２６  クラゲ抜き
１２７  中吊り
１２８  クラゲ抜き出口
１２９  出口開口部
１３０  浮力体
１３１  連結部
１４０  魚取り部
１４１  シャコ取り
１４２  魚取り
１４３  魚巻き
【図１】
0005946083.tif 000002
【図２】
0005946083.tif 000003
【図３】
0005946083.tif 000004
【図４】
0005946083.tif 000005
【図５】
0005946083.tif 000006
【図６】
0005946083.tif 000007
【図７】
0005946083.tif 000008
【図８】
0005946083.tif 000009
【図９】
0005946083.tif 000010
【図１０】
0005946083.tif 000011